(57)【要約】      （修正有）【課題】おもちゃを勉強にも使用でき、子供の勉強を楽しくする変形おもちゃ車を提供する。【解決手段】フロント部１１と車体１２とを含み、フロント部１１と車体１２との間は一定の角度に回転することができ、車体１２の中には文房具チャンバ１３が設置され、文房具チャンバ１３の上側にはスライド蓋装置１０１が設置され、文房具チャンバ１３の下側には第一変形装置１０２が設置され、第一変形装置１０２の下側には伝動装置１０４が設置され、車体１２の中には第二変形装置１０３が設置され、本装置はおもちゃ車として使用されることができるだけでなく、筆箱に変形して使用されることもでき、本装置はおもちゃ車として使用されると同時に、文房具に変形して使用されることもでき、且つ車の形態にある時に文房具が落ちないことを保証でき、娯楽と勉強との両方を楽しむことができ、安全で信頼できる。【選択図】図１
2020179069.tif 000002
【特許請求の範囲】
【請求項１】
フロント部と車体とを含み、前記フロント部と前記車体との間は一定の角度に回転することができ、前記車体の中には文房具チャンバが設置され、前記文房具チャンバの上側にはスライド蓋装置が設置され、前記文房具チャンバの下側には第一変形装置が設置され、前記第一変形装置の下側には伝動装置が設置され、前記車体の中には第二変形装置が設置され、本装置はおもちゃ車として使用されることができるだけでなく、筆箱に変形して使用されることもでき、変形する過程において、前記第一変形装置が起動すると同時に前記スライド蓋装置をロックし、前記文房具チャンバの中の文房具が落ちることを回避し、同時に前記伝動装置により前記第二変形装置を起動連動させ、全体を変形し、前記スライド蓋装置は前記文房具チャンバの上側に連通するように設置され、且つ上方に開口した開口チャンバを含み、前記開口チャンバの前後壁にはガイドスライドチャンバが対称的に連通するように設置され、前記開口チャンバの中には前後端が前記ガイドスライド溝の中にスライドできるように設置されているカバー板が設置され、前記カバー板の下端面の左右両端には下方に開口した引っ掛かり溝が対称的に設置され、前記文房具チャンバの左右両側には前記ガイドスライド溝に連通するようにいる引っ掛かりロッドチャンバが対称的に設置され、前記引っ掛かりロッドチャンバの中には引っ掛かりロッドがスライドできるように設置されており、
本装置はおもちゃ車に変形する時、前記引っ掛かりロッドが前記引っ掛かり溝の中に引っかかって前記カバー板を固定することを特徴とする変形おもちゃ車。
【請求項２】
前記第一変形装置は前記文房具チャンバの下側に設置されている昇降チャンバを含み、前記昇降チャンバの下壁の中にはモータが固定的に設置され、前記モータの上端にはねじロッドが動力が伝達できるように連結され、前記昇降チャンバの中には前記ねじロッドにねじ山によって連結されている昇降ブロックがスライドできるように設置され、前記昇降チャンバの左右両側にはレバーチャンバが対称的に連通するように設置され、前記昇降ブロックの左右両端には昇降ロッドが対称的に且つ固定的に設置され、前記レバーチャンバのうち中心から離れている側には第一スライドブロックチャンバが連通するように設置され、前記第一スライドブロックチャンバの中には第一スライドブロックがスライドできるように設置され、前記昇降ロッドの前後両側にはレバーが対称的にヒンジで連結され、前記レバーのうち中心から離れている一端が前記第一スライドブロックの上端にヒンジで連結され、前記第一スライドブロックの中には回転軸が前後に貫通しており、且つ回転できるように設置され、前記第一スライドブロックチャンバの前後壁には開口が外に向いている軸スライドチャンバが対称的に連通するように設置され、前記回転軸のうち中心から離れている一端が前記軸スライドチャンバを通り抜けて外部空間に伸びており、且つ外部空間にある前記回転軸のうち中心から離れている一端には車輪が固定的に連結され、前記第一スライドブロックチャンバのうち中心から離れている側には前記引っ掛かりロッドチャンバの下側に連通するようにいる空きチャンバが連通するように設置され、前記昇降ロッドが前記空きチャンバの中に伸びており、且つ前記引っ掛かりロッドの下端に固定的に連結されており、
前記モータが起動して前記車輪を上昇連動させてテーブル面から離脱させることができ、それにより前記車体が筆箱として使用されることを特徴とする請求項１に記載の変形おもちゃ車。
【請求項３】
前記伝動装置は前記昇降チャンバの下側に設置されている巻き輪チャンバを含み、前記モータの下端にはリールが動力が伝達できるように連結され、前記リールには引き紐が巻き付いており、前記車体の左端面の中にはスライドロッドチャンバが設置され、前記スライドロッドチャンバの中にはスライドロッドがスライドできるように設置され、前記スライドロッドの右端と前記スライドロッドチャンバの右壁との間には圧縮ばねが固定的に設置され、前記引き紐が前記スライドロッドの右端に固定的に連結され、前記スライドロッドチャンバの上側には左方に開口した延伸チャンバが連通するように設置されており、
前記モータが始動されて前記スライドロッドを引き動かすことができ、且つ前記フロント部と前記車体とを連動させて互いに密着させて前記第一変形装置を始動することを特徴とする請求項１に記載の変形おもちゃ車。
【請求項４】
前記第二変形装置は前記フロント部の中に設置され、且つ右方に開口した伸縮チャンバを含み、前記伸縮チャンバの中には前記スライドロッドの左端に回転できるように連結されている伸縮ロッドがスライドできるように設置され、前記伸縮チャンバの上側にはコンロッドチャンバが設置され、前記伸縮ロッドの上端にはコンロッドがヒンジで連結され、前記コンロッドチャンバの後壁には直線スライド溝が対称的に連通するように設置され、前記コンロッドの上端には前記直線スライド溝にスライドできるように連結されている直線スライドロッドが前後対称的に固定的に設置され、前記コンロッドチャンバの左側には第二スライドブロックチャンバが連通するように設置され、前記第二スライドブロックチャンバの中には第二スライドブロックがスライドできるように設置され、前記第二スライドブロックの右端には前記直線スライドロッドに回転できるように連結されている固定ロッドが固定的に設置され、前記第二スライドブロックの上端と前記第二スライドブロックチャンバの上壁との間には耐圧ばねが固定的に連結され、前記第二スライドブロックと前記第一スライドブロックにはいずれも前記回転軸と前記軸スライドチャンバと前記車輪とが前後対称的に設置されており、
前記伸縮ロッドを引き動かして前記フロント部の前後側に位置している前記車輪を上昇連動させることができることを特徴とする請求項１に記載の変形おもちゃ車。
【発明の詳細な説明】
【技術分野】
【０００１】
本発明はおもちゃ技術分野に関わり、具体的には変形おもちゃ車である。
【背景技術】
【０００２】
おもちゃ車は子供たちに人気のおもちゃであり、特に変形おもちゃ車は非常に人気があり、今までの沢山の変形おもちゃ車はトランスフォーマーをまねしてロボットに変形することができ、それを持って遊ぶことしかできなく、他の機能を何も持っていなく、従って、変形おもちゃ車が必要となり、本装置はおもちゃ車を筆箱に変形することができ、それによりおもちゃを勉強にも使用でき、子供の勉強を楽しくする。
【先行技術文献】
【特許文献】
【０００３】
【特許文献１】中国特許出願公開第１０９４２０３４４号明細書
【発明の概要】
【発明が解決しようとする課題】
【０００４】
本発明は変形おもちゃ車を提供し、既存技術にある上記欠点を解消することを目的とする。
【課題を解決するための手段】
【０００５】
本発明の実施例の変形おもちゃ車は、フロント部と車体とを含み、前記フロント部と前記車体との間は一定の角度に回転することができ、前記車体の中には文房具チャンバが設置され、前記文房具チャンバの上側にはスライド蓋装置が設置され、前記文房具チャンバの下側には第一変形装置が設置され、前記第一変形装置の下側には伝動装置が設置され、前記車体の中には第二変形装置が設置され、本装置はおもちゃ車として使用されることができるだけでなく、筆箱に変形して使用されることもでき、変形する過程において、前記第一変形装置が起動すると同時に前記スライド蓋装置をロックし、前記文房具チャンバの中の文房具が落ちることを回避し、同時に前記伝動装置により前記第二変形装置を起動連動させ、全体を変形し、前記スライド蓋装置は前記文房具チャンバの上側に連通するように設置され、且つ上方に開口した開口チャンバを含み、前記開口チャンバの前後壁にはガイドスライドチャンバが対称的に連通するように設置され、前記開口チャンバの中には前後端が前記ガイドスライド溝の中にスライドできるように設置されているカバー板が設置され、前記カバー板の下端面の左右両端には下方に開口した引っ掛かり溝が対称的に設置され、前記文房具チャンバの左右両側には前記ガイドスライド溝に連通するようにいる引っ掛かりロッドチャンバが対称的に設置され、前記引っ掛かりロッドチャンバの中には引っ掛かりロッドがスライドできるように設置されており、
本装置はおもちゃ車に変形する時、前記引っ掛かりロッドが前記引っ掛かり溝の中に引っかかって前記カバー板を固定する。
【０００６】
さらなる技術プランには、前記第一変形装置は前記文房具チャンバの下側に設置されている昇降チャンバを含み、前記昇降チャンバの下壁の中にはモータが固定的に設置され、前記モータの上端にはねじロッドが動力が伝達できるように連結され、前記昇降チャンバの中には前記ねじロッドにねじ山によって連結されている昇降ブロックがスライドできるように設置され、前記昇降チャンバの左右両側にはレバーチャンバが対称的に連通するように設置され、前記昇降ブロックの左右両端には昇降ロッドが対称的に且つ固定的に設置され、前記レバーチャンバのうち中心から離れている側には第一スライドブロックチャンバが連通するように設置され、前記第一スライドブロックチャンバの中には第一スライドブロックがスライドできるように設置され、前記昇降ロッドの前後両側にはレバーが対称的にヒンジで連結され、前記レバーのうち中心から離れている一端が前記第一スライドブロックの上端にヒンジで連結され、前記第一スライドブロックの中には回転軸が前後に貫通しており、且つ回転できるように設置され、前記第一スライドブロックチャンバの前後壁には開口が外に向いている軸スライドチャンバが対称的に連通するように設置され、前記回転軸のうち中心から離れている一端が前記軸スライドチャンバを通り抜けて外部空間に伸びており、且つ外部空間にある前記回転軸のうち中心から離れている一端には車輪が固定的に連結され、前記第一スライドブロックチャンバのうち中心から離れている側には前記引っ掛かりロッドチャンバの下側に連通するようにいる空きチャンバが連通するように設置され、前記昇降ロッドが前記空きチャンバの中に伸びており、且つ前記引っ掛かりロッドの下端に固定的に連結されており、
前記モータが起動して前記車輪を上昇連動させてテーブル面から離脱させることができ、それにより前記車体が筆箱として使用される。
【０００７】
さらなる技術プランには、前記伝動装置は前記昇降チャンバの下側に設置されている巻き輪チャンバを含み、前記モータの下端にはリールが動力が伝達できるように連結され、前記リールには引き紐が巻き付いており、前記車体の左端面の中にはスライドロッドチャンバが設置され、前記スライドロッドチャンバの中にはスライドロッドがスライドできるように設置され、前記スライドロッドの右端と前記スライドロッドチャンバの右壁との間には圧縮ばねが固定的に設置され、前記引き紐が前記スライドロッドの右端に固定的に連結され、前記スライドロッドチャンバの上側には左方に開口した延伸チャンバが連通するように設置されており、
前記モータが始動されて前記スライドロッドを引き動かすことができ、且つ前記フロント部と前記車体とを連動させて互いに密着させて前記第一変形装置を始動する。
【０００８】
さらなる技術プランには、前記第二変形装置は前記フロント部の中に設置され、且つ右方に開口した伸縮チャンバを含み、前記伸縮チャンバの中には前記スライドロッドの左端に回転できるように連結されている伸縮ロッドがスライドできるように設置され、前記伸縮チャンバの上側にはコンロッドチャンバが設置され、前記伸縮ロッドの上端にはコンロッドがヒンジで連結され、前記コンロッドチャンバの後壁には直線スライド溝が対称的に連通するように設置され、前記コンロッドの上端には前記直線スライド溝にスライドできるように連結されている直線スライドロッドが前後対称的に固定的に設置され、前記コンロッドチャンバの左側には第二スライドブロックチャンバが連通するように設置され、前記第二スライドブロックチャンバの中には第二スライドブロックがスライドできるように設置され、前記第二スライドブロックの右端には前記直線スライドロッドに回転できるように連結されている固定ロッドが固定的に設置され、前記第二スライドブロックの上端と前記第二スライドブロックチャンバの上壁との間には耐圧ばねが固定的に連結され、前記第二スライドブロックと前記第一スライドブロックにはいずれも前記回転軸と前記軸スライドチャンバと前記車輪とが前後対称的に設置されており、
前記伸縮ロッドを引き動かして前記フロント部の前後側に位置している前記車輪を上昇連動させることができる。
【発明の効果】
【０００９】
本発明の有益な効果は：本発明は構成が簡単で、操作が便利であり、本装置はおもちゃ車として使用されると同時に、文房具に変形して使用されることもでき、且つ車の形態にある時に文房具が落ちないことを保証でき、娯楽と勉強との両方を楽しむことができ、安全で信頼できる。
【図面の簡単な説明】
【００１０】
【図１】図１は本発明の変形おもちゃ車の内部全体の構成概略図
【図２】図２は図１の中の「Ａ−Ａ」方向の構成概略図
【図３】図３は図１の中の「Ｂ−Ｂ」方向の構成概略図
【発明を実施するための形態】
【００１１】
次に図１−３を合わせて本発明を詳しく説明する。意思の疎通に便利なため、後文に出る方位を以下の通りに規定する：後文に出る上下左右前後方向は図１本体の投影関係の上下左右前後方向と一致する。
【００１２】
図１−３を参照して、本発明の実施例の変形おもちゃ車は、フロント部１１と車体１２とを含み、前記フロント部１１と前記車体１２との間は一定の角度に回転することができ、前記車体１２の中には文房具チャンバ１３が設置され、前記文房具チャンバ１３の上側にはスライド蓋装置１０１が設置され、前記文房具チャンバ１３の下側には第一変形装置１０２が設置され、前記第一変形装置１０２の下側には伝動装置１０４が設置され、前記車体１２の中には第二変形装置１０３が設置され、本装置はおもちゃ車として使用されることができるだけでなく、筆箱に変形して使用されることもでき、変形する過程において、前記第一変形装置１０２が起動すると同時に前記スライド蓋装置１０１をロックし、前記文房具チャンバ１３の中の文房具が落ちることを回避し、同時に前記伝動装置１０４により前記第二変形装置１０３を起動連動させ、全体を変形し、前記スライド蓋装置１０１は前記文房具チャンバ１３の上側に連通するように設置され、且つ上方に開口した開口チャンバ１８を含み、前記開口チャンバ１８の前後壁にはガイドスライドチャンバ１９が対称的に連通するように設置され、前記開口チャンバ１８の中には前後端が前記ガイドスライド溝１９の中にスライドできるように設置されているカバー板２０が設置され、前記カバー板２０の下端面の左右両端には下方に開口した引っ掛かり溝２１が対称的に設置され、前記文房具チャンバ１３の左右両側には前記ガイドスライド溝１９に連通するようにいる引っ掛かりロッドチャンバ２２が対称的に設置され、前記引っ掛かりロッドチャンバ２２の中には引っ掛かりロッド２３がスライドできるように設置されており、
本装置はおもちゃ車に変形する時、前記引っ掛かりロッド２３が前記引っ掛かり溝２１の中に引っかかって前記カバー板２０を固定する。
【００１３】
有益なように、前記第一変形装置１０２は前記文房具チャンバ１３の下側に設置されている昇降チャンバ１４を含み、前記昇降チャンバ１４の下壁の中にはモータ１５が固定的に設置され、前記モータ１５の上端にはねじロッド１６が動力が伝達できるように連結され、前記昇降チャンバ１４の中には前記ねじロッド１６にねじ山によって連結されている昇降ブロック１７がスライドできるように設置され、前記昇降チャンバ１４の左右両側にはレバーチャンバ２４が対称的に連通するように設置され、前記昇降ブロック１７の左右両端には昇降ロッド２８が対称的に且つ固定的に設置され、前記レバーチャンバ２４のうち中心から離れている側には第一スライドブロックチャンバ２５が連通するように設置され、前記第一スライドブロックチャンバ２５の中には第一スライドブロック２６がスライドできるように設置され、前記昇降ロッド２８の前後両側にはレバー２７が対称的にヒンジで連結され、前記レバー２７のうち中心から離れている一端が前記第一スライドブロック２６の上端にヒンジで連結され、前記第一スライドブロック２６の中には回転軸２９が前後に貫通しており、且つ回転できるように設置され、前記第一スライドブロックチャンバ２５の前後壁には開口が外に向いている軸スライドチャンバ３０が対称的に連通するように設置され、前記回転軸２９のうち中心から離れている一端が前記軸スライドチャンバ３０を通り抜けて外部空間に伸びており、且つ外部空間にある前記回転軸２９のうち中心から離れている一端には車輪３１が固定的に連結され、前記第一スライドブロックチャンバ２５のうち中心から離れている側には前記引っ掛かりロッドチャンバ２２の下側に連通するようにいる空きチャンバ３２が連通するように設置され、前記昇降ロッド２８が前記空きチャンバ３２の中に伸びており、且つ前記引っ掛かりロッド２３の下端に固定的に連結されており、
前記モータ１５が起動して前記車輪３１を上昇連動させてテーブル面から離脱させることができ、それにより前記車体１２が筆箱として使用される。
【００１４】
有益なように、前記伝動装置１０４は前記昇降チャンバ１４の下側に設置されている巻き輪チャンバ３３を含み、前記モータ１５の下端にはリール３４が動力が伝達できるように連結され、前記リール３４には引き紐３５が巻き付いており、前記車体１２の左端面の中にはスライドロッドチャンバ３７が設置され、前記スライドロッドチャンバ３７の中にはスライドロッド３８がスライドできるように設置され、前記スライドロッド３８の右端と前記スライドロッドチャンバ３７の右壁との間には圧縮ばね３９が固定的に設置され、前記引き紐３５が前記スライドロッド３８の右端に固定的に連結され、前記スライドロッドチャンバ３７の上側には左方に開口した延伸チャンバ４０が連通するように設置されており、
前記モータ１５が始動されて前記スライドロッド３８を引き動かすことができ、且つ前記フロント部１１と前記車体１２とを連動させて互いに密着させて前記第一変形装置１０２を始動する。
【００１５】
有益なように、前記第二変形装置１０３は前記フロント部１１の中に設置され、且つ右方に開口した伸縮チャンバ４１を含み、前記伸縮チャンバ４１の中には前記スライドロッド３８の左端に回転できるように連結されている伸縮ロッド４２がスライドできるように設置され、前記伸縮チャンバ４１の上側にはコンロッドチャンバ４３が設置され、前記伸縮ロッド４２の上端にはコンロッド４４がヒンジで連結され、前記コンロッドチャンバ４３の後壁には直線スライド溝４５が対称的に連通するように設置され、前記コンロッド４４の上端には前記直線スライド溝４５にスライドできるように連結されている直線スライドロッド４６が前後対称的に固定的に設置され、前記コンロッドチャンバ４３の左側には第二スライドブロックチャンバ４７が連通するように設置され、前記第二スライドブロックチャンバ４７の中には第二スライドブロック４８がスライドできるように設置され、前記第二スライドブロック４８の右端には前記直線スライドロッド４６に回転できるように連結されている固定ロッド４９が固定的に設置され、前記第二スライドブロック４８の上端と前記第二スライドブロックチャンバ４７の上壁との間には耐圧ばね５０が固定的に連結され、前記第二スライドブロック４８と前記第一スライドブロック２６にはいずれも前記回転軸２９と前記軸スライドチャンバ３０と前記車輪３１とが前後対称的に設置されており、
前記伸縮ロッド４２を引き動かして前記フロント部１１の前後側に位置している前記車輪３１を上昇連動させることができる。
【００１６】
初期状態にある時、本装置はおもちゃ車の形態にあり、フロント部１１が伸縮ロッド４２とスライドロッド３８との回転できるような連結により方向を変えることができ、引っ掛かりロッド２３が引っ掛かり溝２１の中に伸びて引っ掛かり、且つカバー板２０を固定し、昇降ブロック１７と昇降ロッド２８とが上限位置にあり、車輪３１の下端がテーブル面と当接している。
【００１７】
文房具に変形する時、モータ１５が始動されてねじロッド１６とリール３４とを回転連動させ、モータ１５がねじ山による連結により昇降ブロック１７を下降連動させ、且つ昇降ロッド２８を下降連動させ、昇降ロッド２８が引っ掛かりロッド２３を連動させて引っ掛かり溝２１から移して出し、且つレバー２７により第一スライドブロック２６を上昇連動させ、それと同時に、リール３４が引き紐３５を引き締め、またスライドロッド３８を引き動かして右へ移動させ、伸縮ロッド４２を引き動かして右へ移動させて延伸チャンバ４０の中に入らせ、フロント部１１と車体１２とが当接した後で伸縮ロッド４２が右へ移動し続け、またコンロッド４４と直線スライドロッド４６により固定ロッド４９と第二スライドブロック４８とを上昇連動させ、第一スライドブロック２６と第二スライドブロック４８とが回転軸２９により車輪３１を上昇連動させ、車体１２が車輪３１に対してテーブル面と当接するまで下降し、車体１２がテーブル面と当接してから、フロント部１１がテーブル面と当接する。
【００１８】
本発明の有益な効果は：本発明は構成が簡単で、操作が便利であり、本装置はおもちゃ車として使用されると同時に、文房具に変形して使用されることもでき、且つ車の形態にある時に文房具が落ちないことを保証でき、娯楽と勉強との両方を楽しむことができ、安全で信頼できる。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020179069.tif 000003
【図２】
2020179069.tif 000004
【図３】
2020179069.tif 000005
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
フロント部と車体とを含み、前記フロント部と前記車体との間は一定の角度に回転することができ、前記車体の中には文房具チャンバが設置され、前記文房具チャンバの上側にはスライド蓋装置が設置され、前記文房具チャンバの下側には第一変形装置が設置され、前記第一変形装置の下側には伝動装置が設置され、前記フロント部の中には第二変形装置が設置され、本装置はおもちゃ車として使用されることができるだけでなく、筆箱に変形して使用されることもでき、変形する過程において、前記第一変形装置が起動すると同時に前記スライド蓋装置をロックし、前記文房具チャンバの中の文房具が落ちることを回避し、同時に前記伝動装置により前記第二変形装置を起動連動させ、全体を変形し、前記スライド蓋装置は前記文房具チャンバの上側に連通するように設置され、且つ上方に開口した開口チャンバを含み、前記開口チャンバの前後壁にはガイドスライドチャンバが対称的に連通するように設置され、前記開口チャンバの中には前後端が前記ガイドスライドチャンバの中にスライドできるように設置されているカバー板が設置され、前記カバー板の下端面の左右両端には下方に開口した引っ掛かり溝が対称的に設置され、前記文房具チャンバの左右両側には前記ガイドスライドチャンバに連通するようにいる引っ掛かりロッドチャンバが対称的に設置され、前記引っ掛かりロッドチャンバの中には引っ掛かりロッドがスライドできるように設置されており、
本装置はおもちゃ車に変形する時、前記引っ掛かりロッドが前記引っ掛かり溝の中に引っかかって前記カバー板を固定することを特徴とする変形おもちゃ車。
【請求項２】
前記第一変形装置は前記文房具チャンバの下側に設置されている昇降チャンバを含み、前記昇降チャンバの下壁の中にはモータが固定的に設置され、前記モータの上端にはねじロッドが動力が伝達できるように連結され、前記昇降チャンバの中には前記ねじロッドにねじ山によって連結されている昇降ブロックがスライドできるように設置され、前記昇降チャンバの左右両側にはレバーチャンバが対称的に連通するように設置され、前記昇降ブロックの左右両端には昇降ロッドが対称的に且つ固定的に設置され、前記レバーチャンバのうち中心から離れている側には第一スライドブロックチャンバが連通するように設置され、前記第一スライドブロックチャンバの中には第一スライドブロックがスライドできるように設置され、前記昇降ロッドの前後両側にはレバーが対称的にヒンジで連結され、前記レバーのうち中心から離れている一端が前記第一スライドブロックの上端にヒンジで連結され、前記第一スライドブロックの中には回転軸が前後に貫通しており、且つ回転できるように設置され、前記第一スライドブロックチャンバの前後壁には開口が外に向いている軸スライドチャンバが対称的に連通するように設置され、前記回転軸のうち中心から離れている一端が前記軸スライドチャンバを通り抜けて外部空間に伸びており、且つ外部空間にある前記回転軸のうち中心から離れている一端には車輪が固定的に連結され、前記第一スライドブロックチャンバのうち中心から離れている側には前記引っ掛かりロッドチャンバの下側に連通するようにいる空きチャンバが連通するように設置され、前記昇降ロッドが前記空きチャンバの中に伸びており、且つ前記引っ掛かりロッドの下端に固定的に連結されており、
前記モータが起動して前記車輪を上昇連動させてテーブル面から離脱させることができ、それにより前記車体が筆箱として使用されることを特徴とする請求項１に記載の変形おもちゃ車。
【請求項３】
前記伝動装置は前記昇降チャンバの下側に設置されている巻き輪チャンバを含み、前記モータの下端にはリールが動力が伝達できるように連結され、前記リールには引き紐が巻き付いており、前記車体の左端面の中にはスライドロッドチャンバが設置され、前記スライドロッドチャンバの中にはスライドロッドがスライドできるように設置され、前記スライドロッドの右端と前記スライドロッドチャンバの右壁との間には圧縮ばねが固定的に設置され、前記引き紐が前記スライドロッドの右端に固定的に連結され、前記スライドロッドチャンバの上側には左方に開口した延伸チャンバが連通するように設置されており、
前記モータが始動されて前記スライドロッドを引き動かすことができ、且つ前記フロント部と前記車体とを連動させて互いに密着させて前記第一変形装置を始動することを特徴とする請求項２に記載の変形おもちゃ車。
【請求項４】
前記第二変形装置は前記フロント部の中に設置され、且つ右方に開口した伸縮チャンバを含み、前記伸縮チャンバの中には前記スライドロッドの左端に回転できるように連結されている伸縮ロッドがスライドできるように設置され、前記伸縮チャンバの上側にはコンロッドチャンバが設置され、前記伸縮ロッドの上端にはコンロッドがヒンジで連結され、前記コンロッドチャンバの後壁には直線スライド溝が対称的に連通するように設置され、前記コンロッドの上端には前記直線スライド溝にスライドできるように連結されている直線スライドロッドが前後対称的に固定的に設置され、前記コンロッドチャンバの左側には第二スライドブロックチャンバが連通するように設置され、前記第二スライドブロックチャンバの中には第二スライドブロックがスライドできるように設置され、前記第二スライドブロックの右端には前記直線スライドロッドに回転できるように連結されている固定ロッドが固定的に設置され、前記第二スライドブロックの上端と前記第二スライドブロックチャンバの上壁との間には耐圧ばねが固定的に連結され、前記第二スライドブロックと前記第一スライドブロックにはいずれも前記回転軸と前記軸スライドチャンバと前記車輪とが前後対称的に設置されており、
前記伸縮ロッドを引き動かして前記フロント部の前後側に位置している前記車輪を上昇連動させることができることを特徴とする請求項３に記載の変形おもちゃ車。
【手続補正２】
【補正対象書類名】明細書
【補正対象項目名】全文
【補正方法】変更
【補正の内容】
【発明の詳細な説明】
【技術分野】
【０００１】
本発明はおもちゃ技術分野に関わり、具体的には変形おもちゃ車である。
【背景技術】
【０００２】
おもちゃ車は子供たちに人気のおもちゃであり、特に変形おもちゃ車は非常に人気があり、今までの沢山の変形おもちゃ車はトランスフォーマーをまねしてロボットに変形することができ、それを持って遊ぶことしかできなく、他の機能を何も持っていなく、従って、変形おもちゃ車が必要となり、本装置はおもちゃ車を筆箱に変形することができ、それによりおもちゃを勉強にも使用でき、子供の勉強を楽しくする。
【先行技術文献】
【特許文献】
【０００３】
【特許文献１】中国特許出願公開第１０９４２０３４４号明細書
【発明の概要】
【発明が解決しようとする課題】
【０００４】
本発明は変形おもちゃ車を提供し、既存技術にある上記欠点を解消することを目的とする。
【課題を解決するための手段】
【０００５】
本発明の実施例の変形おもちゃ車は、フロント部と車体とを含み、前記フロント部と前記車体との間は一定の角度に回転することができ、前記車体の中には文房具チャンバが設置され、前記文房具チャンバの上側にはスライド蓋装置が設置され、前記文房具チャンバの下側には第一変形装置が設置され、前記第一変形装置の下側には伝動装置が設置され、前記フロント部の中には第二変形装置が設置され、本装置はおもちゃ車として使用されることができるだけでなく、筆箱に変形して使用されることもでき、変形する過程において、前記第一変形装置が起動すると同時に前記スライド蓋装置をロックし、前記文房具チャンバの中の文房具が落ちることを回避し、同時に前記伝動装置により前記第二変形装置を起動連動させ、全体を変形し、前記スライド蓋装置は前記文房具チャンバの上側に連通するように設置され、且つ上方に開口した開口チャンバを含み、前記開口チャンバの前後壁にはガイドスライドチャンバが対称的に連通するように設置され、前記開口チャンバの中には前後端が前記ガイドスライドチャンバの中にスライドできるように設置されているカバー板が設置され、前記カバー板の下端面の左右両端には下方に開口した引っ掛かり溝が対称的に設置され、前記文房具チャンバの左右両側には前記ガイドスライドチャンバに連通するようにいる引っ掛かりロッドチャンバが対称的に設置され、前記引っ掛かりロッドチャンバの中には引っ掛かりロッドがスライドできるように設置されており、
本装置はおもちゃ車に変形する時、前記引っ掛かりロッドが前記引っ掛かり溝の中に引っかかって前記カバー板を固定する。
【０００６】
さらなる技術プランには、前記第一変形装置は前記文房具チャンバの下側に設置されている昇降チャンバを含み、前記昇降チャンバの下壁の中にはモータが固定的に設置され、前記モータの上端にはねじロッドが動力が伝達できるように連結され、前記昇降チャンバの中には前記ねじロッドにねじ山によって連結されている昇降ブロックがスライドできるように設置され、前記昇降チャンバの左右両側にはレバーチャンバが対称的に連通するように設置され、前記昇降ブロックの左右両端には昇降ロッドが対称的に且つ固定的に設置され、前記レバーチャンバのうち中心から離れている側には第一スライドブロックチャンバが連通するように設置され、前記第一スライドブロックチャンバの中には第一スライドブロックがスライドできるように設置され、前記昇降ロッドの前後両側にはレバーが対称的にヒンジで連結され、前記レバーのうち中心から離れている一端が前記第一スライドブロックの上端にヒンジで連結され、前記第一スライドブロックの中には回転軸が前後に貫通しており、且つ回転できるように設置され、前記第一スライドブロックチャンバの前後壁には開口が外に向いている軸スライドチャンバが対称的に連通するように設置され、前記回転軸のうち中心から離れている一端が前記軸スライドチャンバを通り抜けて外部空間に伸びており、且つ外部空間にある前記回転軸のうち中心から離れている一端には車輪が固定的に連結され、前記第一スライドブロックチャンバのうち中心から離れている側には前記引っ掛かりロッドチャンバの下側に連通するようにいる空きチャンバが連通するように設置され、前記昇降ロッドが前記空きチャンバの中に伸びており、且つ前記引っ掛かりロッドの下端に固定的に連結されており、
前記モータが起動して前記車輪を上昇連動させてテーブル面から離脱させることができ、それにより前記車体が筆箱として使用される。
【０００７】
さらなる技術プランには、前記伝動装置は前記昇降チャンバの下側に設置されている巻き輪チャンバを含み、前記モータの下端にはリールが動力が伝達できるように連結され、前記リールには引き紐が巻き付いており、前記車体の左端面の中にはスライドロッドチャンバが設置され、前記スライドロッドチャンバの中にはスライドロッドがスライドできるように設置され、前記スライドロッドの右端と前記スライドロッドチャンバの右壁との間には圧縮ばねが固定的に設置され、前記引き紐が前記スライドロッドの右端に固定的に連結され、前記スライドロッドチャンバの上側には左方に開口した延伸チャンバが連通するように設置されており、
前記モータが始動されて前記スライドロッドを引き動かすことができ、且つ前記フロント部と前記車体とを連動させて互いに密着させて前記第一変形装置を始動する。
【０００８】
さらなる技術プランには、前記第二変形装置は前記フロント部の中に設置され、且つ右方に開口した伸縮チャンバを含み、前記伸縮チャンバの中には前記スライドロッドの左端に回転できるように連結されている伸縮ロッドがスライドできるように設置され、前記伸縮チャンバの上側にはコンロッドチャンバが設置され、前記伸縮ロッドの上端にはコンロッドがヒンジで連結され、前記コンロッドチャンバの後壁には直線スライド溝が対称的に連通するように設置され、前記コンロッドの上端には前記直線スライド溝にスライドできるように連結されている直線スライドロッドが前後対称的に固定的に設置され、前記コンロッドチャンバの左側には第二スライドブロックチャンバが連通するように設置され、前記第二スライドブロックチャンバの中には第二スライドブロックがスライドできるように設置され、前記第二スライドブロックの右端には前記直線スライドロッドに回転できるように連結されている固定ロッドが固定的に設置され、前記第二スライドブロックの上端と前記第二スライドブロックチャンバの上壁との間には耐圧ばねが固定的に連結され、前記第二スライドブロックと前記第一スライドブロックにはいずれも前記回転軸と前記軸スライドチャンバと前記車輪とが前後対称的に設置されており、
前記伸縮ロッドを引き動かして前記フロント部の前後側に位置している前記車輪を上昇連動させることができる。
【発明の効果】
【０００９】
本発明の有益な効果は：本発明は構成が簡単で、操作が便利であり、本装置はおもちゃ車として使用されると同時に、文房具に変形して使用されることもでき、且つ車の形態にある時に文房具が落ちないことを保証でき、娯楽と勉強との両方を楽しむことができ、安全で信頼できる。
【図面の簡単な説明】
【００１０】
【図１】図１は本発明の変形おもちゃ車の内部全体の構成概略図
【図２】図２は図１の中の「Ａ−Ａ」方向の構成概略図
【図３】図３は図１の中の「Ｂ−Ｂ」方向の構成概略図
【発明を実施するための形態】
【００１１】
次に図１−３を合わせて本発明を詳しく説明する。意思の疎通に便利なため、後文に出る方位を以下の通りに規定する：後文に出る上下左右前後方向は図１本体の投影関係の上下左右前後方向と一致する。
【００１２】
図１−３を参照して、本発明の実施例の変形おもちゃ車は、フロント部１１と車体１２とを含み、前記フロント部１１と前記車体１２との間は一定の角度に回転することができ、前記車体１２の中には文房具チャンバ１３が設置され、前記文房具チャンバ１３の上側にはスライド蓋装置１０１が設置され、前記文房具チャンバ１３の下側には第一変形装置１０２が設置され、前記第一変形装置１０２の下側には伝動装置１０４が設置され、前記フロント部１１の中には第二変形装置１０３が設置され、本装置はおもちゃ車として使用されることができるだけでなく、筆箱に変形して使用されることもでき、変形する過程において、前記第一変形装置１０２が起動すると同時に前記スライド蓋装置１０１をロックし、前記文房具チャンバ１３の中の文房具が落ちることを回避し、同時に前記伝動装置１０４により前記第二変形装置１０３を起動連動させ、全体を変形し、前記スライド蓋装置１０１は前記文房具チャンバ１３の上側に連通するように設置され、且つ上方に開口した開口チャンバ１８を含み、前記開口チャンバ１８の前後壁にはガイドスライドチャンバ１９が対称的に連通するように設置され、前記開口チャンバ１８の中には前後端が前記ガイドスライドチャンバ１９の中にスライドできるように設置されているカバー板２０が設置され、前記カバー板２０の下端面の左右両端には下方に開口した引っ掛かり溝２１が対称的に設置され、前記文房具チャンバ１３の左右両側には前記ガイドスライドチャンバ１９に連通するようにいる引っ掛かりロッドチャンバ２２が対称的に設置され、前記引っ掛かりロッドチャンバ２２の中には引っ掛かりロッド２３がスライドできるように設置されており、
本装置はおもちゃ車に変形する時、前記引っ掛かりロッド２３が前記引っ掛かり溝２１の中に引っかかって前記カバー板２０を固定する。
【００１３】
有益なように、前記第一変形装置１０２は前記文房具チャンバ１３の下側に設置されている昇降チャンバ１４を含み、前記昇降チャンバ１４の下壁の中にはモータ１５が固定的に設置され、前記モータ１５の上端にはねじロッド１６が動力が伝達できるように連結され、前記昇降チャンバ１４の中には前記ねじロッド１６にねじ山によって連結されている昇降ブロック１７がスライドできるように設置され、前記昇降チャンバ１４の左右両側にはレバーチャンバ２４が対称的に連通するように設置され、前記昇降ブロック１７の左右両端には昇降ロッド２８が対称的に且つ固定的に設置され、前記レバーチャンバ２４のうち中心から離れている側には第一スライドブロックチャンバ２５が連通するように設置され、前記第一スライドブロックチャンバ２５の中には第一スライドブロック２６がスライドできるように設置され、前記昇降ロッド２８の前後両側にはレバー２７が対称的にヒンジで連結され、前記レバー２７のうち中心から離れている一端が前記第一スライドブロック２６の上端にヒンジで連結され、前記第一スライドブロック２６の中には回転軸２９が前後に貫通しており、且つ回転できるように設置され、前記第一スライドブロックチャンバ２５の前後壁には開口が外に向いている軸スライドチャンバ３０が対称的に連通するように設置され、前記回転軸２９のうち中心から離れている一端が前記軸スライドチャンバ３０を通り抜けて外部空間に伸びており、且つ外部空間にある前記回転軸２９のうち中心から離れている一端には車輪３１が固定的に連結され、前記第一スライドブロックチャンバ２５のうち中心から離れている側には前記引っ掛かりロッドチャンバ２２の下側に連通するようにいる空きチャンバ３２が連通するように設置され、前記昇降ロッド２８が前記空きチャンバ３２の中に伸びており、且つ前記引っ掛かりロッド２３の下端に固定的に連結されており、
前記モータ１５が起動して前記車輪３１を上昇連動させてテーブル面から離脱させることができ、それにより前記車体１２が筆箱として使用される。
【００１４】
有益なように、前記伝動装置１０４は前記昇降チャンバ１４の下側に設置されている巻き輪チャンバ３３を含み、前記モータ１５の下端にはリール３４が動力が伝達できるように連結され、前記リール３４には引き紐３５が巻き付いており、前記車体１２の左端面の中にはスライドロッドチャンバ３７が設置され、前記スライドロッドチャンバ３７の中にはスライドロッド３８がスライドできるように設置され、前記スライドロッド３８の右端と前記スライドロッドチャンバ３７の右壁との間には圧縮ばね３９が固定的に設置され、前記引き紐３５が前記スライドロッド３８の右端に固定的に連結され、前記スライドロッドチャンバ３７の上側には左方に開口した延伸チャンバ４０が連通するように設置されており、
前記モータ１５が始動されて前記スライドロッド３８を引き動かすことができ、且つ前記フロント部１１と前記車体１２とを連動させて互いに密着させて前記第一変形装置１０２を始動する。
【００１５】
有益なように、前記第二変形装置１０３は前記フロント部１１の中に設置され、且つ右方に開口した伸縮チャンバ４１を含み、前記伸縮チャンバ４１の中には前記スライドロッド３８の左端に回転できるように連結されている伸縮ロッド４２がスライドできるように設置され、前記伸縮チャンバ４１の上側にはコンロッドチャンバ４３が設置され、前記伸縮ロッド４２の上端にはコンロッド４４がヒンジで連結され、前記コンロッドチャンバ４３の後壁には直線スライド溝４５が対称的に連通するように設置され、前記コンロッド４４の上端には前記直線スライド溝４５にスライドできるように連結されている直線スライドロッド４６が前後対称的に固定的に設置され、前記コンロッドチャンバ４３の左側には第二スライドブロックチャンバ４７が連通するように設置され、前記第二スライドブロックチャンバ４７の中には第二スライドブロック４８がスライドできるように設置され、前記第二スライドブロック４８の右端には前記直線スライドロッド４６に回転できるように連結されている固定ロッド４９が固定的に設置され、前記第二スライドブロック４８の上端と前記第二スライドブロックチャンバ４７の上壁との間には耐圧ばね５０が固定的に連結され、前記第二スライドブロック４８と前記第一スライドブロック２６にはいずれも前記回転軸２９と前記軸スライドチャンバ３０と前記車輪３１とが前後対称的に設置されており、
前記伸縮ロッド４２を引き動かして前記フロント部１１の前後側に位置している前記車輪３１を上昇連動させることができる。
【００１６】
初期状態にある時、本装置はおもちゃ車の形態にあり、フロント部１１が伸縮ロッド４２とスライドロッド３８との回転できるような連結により方向を変えることができ、引っ掛かりロッド２３が引っ掛かり溝２１の中に伸びて引っ掛かり、且つカバー板２０を固定し、昇降ブロック１７と昇降ロッド２８とが上限位置にあり、車輪３１の下端がテーブル面と当接している。
【００１７】
文房具に変形する時、モータ１５が始動されてねじロッド１６とリール３４とを回転連動させ、モータ１５がねじ山による連結により昇降ブロック１７を下降連動させ、且つ昇降ロッド２８を下降連動させ、昇降ロッド２８が引っ掛かりロッド２３を連動させて引っ掛かり溝２１から移して出し、且つレバー２７により第一スライドブロック２６を上昇連動させ、それと同時に、リール３４が引き紐３５を引き締め、またスライドロッド３８を引き動かして右へ移動させ、伸縮ロッド４２を引き動かして右へ移動させて延伸チャンバ４０の中に入らせ、フロント部１１と車体１２とが当接した後で伸縮ロッド４２が右へ移動し続け、またコンロッド４４と直線スライドロッド４６により固定ロッド４９と第二スライドブロック４８とを上昇連動させ、第一スライドブロック２６と第二スライドブロック４８とが回転軸２９により車輪３１を上昇連動させ、車体１２が車輪３１に対してテーブル面と当接するまで下降し、車体１２がテーブル面と当接してから、フロント部１１がテーブル面と当接する。
【００１８】
本発明の有益な効果は：本発明は構成が簡単で、操作が便利であり、本装置はおもちゃ車として使用されると同時に、文房具に変形して使用されることもでき、且つ車の形態にある時に文房具が落ちないことを保証でき、娯楽と勉強との両方を楽しむことができ、安全で信頼できる。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。